(57)【要約】【課題】高濃度の次亜塩素酸を、消費されるエネルギーを抑制しつつ迅速に供給可能な殺菌水生成装置を提供すること。【解決手段】殺菌水生成装置ＷＤは、電解槽１の一対の電極間に印加する電圧が、陽極に塩化物イオンが引き寄せられる第１電圧となるように制御する濃縮モードと、一対の電極間に印加する電圧が、第１電圧よりも高い電圧であって次亜塩素酸が生成される第２電圧となるように制御する電解モードと、を実行可能なように構成されている。【選択図】図２
2013208569.tif 000002
【特許請求の範囲】
【請求項１】
塩化物イオンを含む水を電気分解して陽極に塩素を発生させ、この塩素と水の反応により次亜塩素酸を含む殺菌水を生成する殺菌水生成装置において、
水が通る給水路と、
前記給水路に設けられ、一対の電極を有し、前記一対の電極間に電圧を印加することで前記給水路を通る水を電解処理する電解槽領域と、
前記一対の電極間に印加する電圧を制御する制御手段と、を備え、
前記制御手段は、
前記一対の電極間に印加する電圧が、陽極に塩化物イオンが引き寄せられる第１電圧となるように制御する濃縮モードと、
前記濃縮モードの実行後に、前記一対の電極間に印加する電圧が、前記第１電圧よりも高い電圧であって次亜塩素酸が生成される第２電圧となるように制御する電解モードと、を実行可能なように構成されていることを特徴とする殺菌水生成装置。
【請求項２】
前記制御手段は、前記第１電圧の電圧値を変更可能なように構成されていることを特徴とする請求項１に記載の殺菌水生成装置。
【請求項３】
前記電解槽領域に供給される水の電気の流れ方を測定する電気流測定手段を備え、
前記制御手段は、前記電気流測定手段が測定した電気の流れ方が弱い場合には、強い場合に比較して前記第１電圧の電圧値を増大させることを特徴とする請求項２に記載の殺菌水生成装置。
【請求項４】
前記電解槽領域よりも下流側において前記給水路を流れる水の水質を検知する水質検知手段を備え、
前記制御手段は、前記水質検知手段が検知した水質が、前記陽極に塩化物イオンが引き寄せられたことを示すものに変化したことに基づいて、前記濃縮モードから前記電解モードへ移行することを特徴とする請求項１に記載の殺菌水生成装置。
【請求項５】
前記水質検知手段は、前記電解槽領域から流れ出る水の電気の流れ方を測定することで水質を検知するものであって、
前記制御手段は、前記電解槽領域よりも下流側において前記給水路を流れる水の電気の流れ方が弱い状態から強い状態に遷移したことに基づいて、前記濃縮モードから前記電解モードへ移行することを特徴とする請求項４に記載の殺菌水生成装置。
【請求項６】
前記水質検知手段は、前記電解槽領域から流れ出る水の水素イオン指数を測定することで水質を検知するものであって、
前記制御手段は、前記電解槽領域よりも下流側において前記給水路を流れる水の水素イオン指数が大きい状態から小さい状態に遷移したことに基づいて、前記濃縮モードから前記電解モードへ移行することを特徴とする請求項４に記載の殺菌水生成装置。
【発明の詳細な説明】
【技術分野】
【０００１】
本発明は、塩化物イオンを含む水を電気分解して陽極に塩素を発生させ、この塩素と水の反応により次亜塩素酸を含む殺菌水を生成する殺菌水生成装置に関する。
【背景技術】
【０００２】
このような殺菌水生成装置として、下記特許文献１に記載の殺菌水生成装置が知られている。下記特許文献１に記載の殺菌水生成装置は、一対の電極の間にイオン交換膜で仕切られた中央流路を備えている。最初に、電極間に電圧を印加しない状態で、中央流路に水を流し、陰イオン交換膜側に水中に含まれる塩化物イオンを捕集する。続いて、電極間に電圧を印加することで水を電気分解し、水酸化物イオンを生成する。この水酸化物イオンは陽極側に引き寄せられ、陰イオン交換膜に到達すると捕集されている塩化物イオンと置換され、塩化物イオンは陰イオン交換膜から放出されて陽極に向かう。陽極においては、この塩化物イオンから塩素が生成され、さらに次亜塩素酸が生成される。
【先行技術文献】
【特許文献】
【０００３】
【特許文献１】特開２００７−３３０８３１号公報
【発明の概要】
【発明が解決しようとする課題】
【０００４】
上記特許文献１に記載の殺菌水生成装置では、殺菌水の生成速度、殺菌水の生成濃度、消費されるエネルギーの３つの観点から解決すべき課題がある。殺菌水の生成速度の観点からは、塩化物イオンをイオン交換膜で一旦捕集する段階と、その後に電極間に電圧を印加して水酸化物イオンを生成して、その生成した水酸化物イオンの置換により塩化物イオンを陽極に移動させる段階と、の２段階の工程があり、殺菌水を迅速に生成することができないという課題がある。
【０００５】
殺菌水の生成濃度の観点からは、塩化物イオンが徐々にイオン交換膜から陽極に移動させられるため、生成される次亜塩素酸の濃度が十分に高まらないという課題がある。また、消費されるエネルギーの観点からは、塩化物イオンをイオン交換膜から離脱させて陽極に向かわせるために、水を電気分解して水酸化物イオンを生成しているため、次亜塩素酸の生成に直接寄与しない水の電気分解にエネルギーを消費してしまうという課題がある。また、イオン交換膜から離脱した塩化物イオンを陽極まで誘引出来る程度の大電圧を印加する必要があり、この点もエネルギー消費の観点からは解決すべき課題である。
【０００６】
本発明はこのような課題に鑑みてなされたものであり、その目的は、高濃度の次亜塩素酸を、消費されるエネルギーを抑制しつつ迅速に供給可能な殺菌水生成装置を提供することにある。
【課題を解決するための手段】
【０００７】
上記課題を解決するために本発明に係る殺菌水生成装置は、塩化物イオンを含む水を電気分解して陽極に塩素を発生させ、この塩素と水の反応により次亜塩素酸を含む殺菌水を生成するものであって、水が通る給水路と、給水路に設けられ、一対の電極を有し、一対の電極間に電圧を印加することで給水路を通る水を電解処理する電解槽領域と、一対の電極間に印加する電圧とを制御する制御手段と、を備える。制御手段は、一対の電極間に印加する電圧が、陽極に塩化物イオンが引き寄せられる第１電圧となるように制御する濃縮モードと、濃縮モードの実行後に、一対の電極間に印加する電圧が、第１電圧よりも高い電圧であって次亜塩素酸が生成される第２電圧となるように制御する電解モードと、を実行可能なように構成されている。
【０００８】
本発明によれば、一対の電極間に印加する電圧を、陽極に塩化物イオンが引き寄せられる第１電圧となるように制御する濃縮モードを実行するので、イオン交換膜で塩化物イオンを捕集し、その後に電極間に電圧を印加して水酸化物イオンを生成した後に水酸化物イオンの置換によって塩化物イオンを陽極に向かわせる従来技術に比較して、迅速に塩化物イオンを陽極周辺に集めることができる。また、陽極に塩化物イオンを引き寄せた後に電解モードに移行して次亜塩素酸を生成するので、塩化物イオンが徐々にイオン交換膜から離脱して陽極に向かう従来技術に比較して、高濃度の次亜塩素酸を得ることができる。また、濃縮モードでは第１電圧、電解モードでは第２電圧となるように一対の電極間に電圧を印加するので、イオン交換膜から離脱した塩化物イオンを陽極まで誘引できる程度の大電圧を印加する従来技術に比較して消費されるエネルギーを抑制することができる。
【０００９】
また本発明に係る殺菌水生成装置では、制御手段は、第１電圧の電圧値を変更可能なように構成されていることも好ましい。
【００１０】
殺菌水生成装置が設置される場所によって、この殺菌水生成装置に供給される水に含まれる塩化物イオンの量は異なり、塩化物イオンの含有量が多ければ低い電圧を印加した場合であっても、十分な量の塩化物イオンを集めることができる。そこでこの好ましい態様では、第１電圧の電圧値を変更可能なように構成することで、濃縮モードで消費する電力量を水に含まれる塩化物イオン濃度に応じて調整することが可能となり、無駄なエネルギーを消費することを回避することができる。
【００１１】
また本発明に係る殺菌水生成装置では、電解槽領域に供給される水の電気の流れ方を測定する電気流測定手段を備え、制御手段は、電気流測定手段が測定した電気の流れ方が弱い場合には、強い場合に比較して第１電圧の電圧値を増大させることも好ましい。
【００１２】
本発明者らは、水における電気の流れ方が弱い場合、すなわち水の電気伝導度が小さい場合には、その水に含まれる塩化物イオン濃度も低くなることを見出した。そこでこの好ましい態様では、水における電気の流れ方に応じて第１電圧の電圧値を調整することで、濃縮モードで消費する電力量を水に含まれる塩化物イオン濃度に応じて調整することが可能となり、無駄なエネルギーを消費することを回避することができる。
【００１３】
また本発明に係る殺菌水生成装置では、電解槽領域よりも下流側において給水路を流れる水の水質を検知する水質検知手段を備え、制御手段は、水質検知手段が検知した水質が、陽極に塩化物イオンが引き寄せられたことを示すものに変化したことに基づいて、濃縮モードから電解モードへ移行することも好ましい。
【００１４】
濃縮モードで塩化物イオンを陽極に捕集すると、電解槽領域を通過する水の水質が塩化物イオンの変動により変化する。そこでこの好ましい態様では、水質検知手段が検知した水質が、陽極に塩化物イオンが引き寄せられたことを示すものに変化したことに基づいて、濃縮モードから電解モードへと移行するので、十分な量の塩化物イオンが陽極に捕集された状態で電解モードへと移行することが可能となり、高濃度の次亜塩素酸を確実に得ることができる。
【００１５】
また本発明に係る殺菌水生成装置では、水質検知手段は、電解槽領域から流れ出る水の電気の流れ方を測定することで水質を検知するものであって、制御手段は、電解槽領域よりも下流側において給水路を流れる水の電気の流れ方が弱い状態から強い状態に遷移したことに基づいて、濃縮モードから前記電解モードへ移行することも好ましい。
【００１６】
上述したように、濃縮モードで塩化物イオンを陽極に捕集すると、電解槽領域を通過する水の水質が塩化物イオンの変動により変化する。より具体的には、塩化物イオンが陽極に捕集されることで、水中の塩化物イオン濃度が低下し、水における電気の流れ方が弱い状態になる。その後、塩化物イオンが陽極に捕集される量が飽和すると、水は塩化物イオンを捕集されることなく電解槽領域を通過するため、水中の塩化物イオン濃度が再上昇し、水における電気の流れ方が強い状態になる。そこでこの好ましい態様では、電解槽領域よりも下流側において給水路を流れる水の電気の流れ方が弱い状態から強い状態に遷移したことに基づいて、濃縮モードから前記電解モードへ移行することで、十分な量の塩化物イオンが陽極に捕集された状態で電解モードへと移行することが可能となり、高濃度の次亜塩素酸を確実に得ることができる。
【００１７】
また本発明に係る殺菌水生成装置では、水質検知手段は、電解槽領域から流れ出る水の水素イオン指数を測定することで水質を検知するものであって、制御手段は、電解槽領域よりも下流側において給水路を流れる水の水素イオン指数が大きい状態から小さい状態に遷移したことに基づいて、濃縮モードから電解モードへ移行することも好ましい。
【００１８】
上述したように、濃縮モードで塩化物イオンを陽極に捕集すると、電解槽領域を通過する水の水質が塩化物イオンの変動により変化する。より具体的には、塩化物イオンが陽極に捕集されることで、水中の塩化物イオン濃度が低下するため、水の電気分解をもってして平衡状態を保つので水酸化物イオンが増え水素イオン指数が大きくなる。その後、塩化物イオンが陽極に捕集される量が飽和すると水中の塩化物イオン濃度が再上昇し、水酸化物イオンが減少して水素イオン指数が小さくなる。そこでこの好ましい態様では、電解槽領域よりも下流側において給水路を流れる水の水素イオン指数が大きい状態から小さい状態に遷移したことに基づいて、濃縮モードから電解モードへ移行することで、十分な量の塩化物イオンが陽極に捕集された状態で電解モードへと移行することが可能となり、高濃度の次亜塩素酸を確実に得ることができる。
【発明の効果】
【００１９】
本発明によれば、高濃度の次亜塩素酸を、消費されるエネルギーを抑制しつつ迅速に供給可能な殺菌水生成装置を提供することができる。
【図面の簡単な説明】
【００２０】
【図１】本発明の一実施形態である殺菌水生成装置が設置された水洗大便器を示す斜視図である。
【図２】図１に示す殺菌水生成装置の殺菌洗浄時の流路系統図である。
【図３】図２に示す殺菌水生成装置に用いられる電解槽を説明するための模式図である。
【図４】第１電圧を決定する手順を示すフローチャートである。
【図５】電気伝導度と第１電圧との関係を示す図である。
【図６】図２に示す殺菌水生成装置の動作を示すフローチャートである。
【図７】図２に示す殺菌水生成装置の動作を示すタイミングチャートである。
【図８】濃縮モードと電解モードとにおける電極近傍の反応を模式的に示す図である。
【発明を実施するための形態】
【００２１】
以下、添付図面を参照しながら本発明の実施の形態について説明する。説明の理解を容易にするため、各図面において同一の構成要素に対しては可能な限り同一の符号を付して、重複する説明は省略する。
【００２２】
図１は、本発明の一実施形態である殺菌水生成装置を含む衛生洗浄装置が設置されてなる水洗大便器を示す斜視図である。同図に示すように、衛生洗浄装置１００は、水洗式の洋式大便器１１０の便器１２０上に設置されて用いられる。そして、コントローラにより操作することにより、洗浄ノズル１４が便器１２０内に進出し、洗浄水を洗浄ノズル１４の先端から人体局所（おしりなど）に向けて噴出することにより、人体局所を洗浄することができる。
【００２３】
図２は、本発明の一実施形態である殺菌水生成装置ＷＤの殺菌洗浄時の流路系統図である。なお、同図には、殺菌洗浄に関連しない要素については図示を省略しているが、本実施形態の衛生洗浄装置は、周知の人体局部を洗浄するために必要な構成を備えている。
【００２４】
図２に示すように、本実施形態による殺菌洗浄時における殺菌水生成装置ＷＤの流路系統１０は、例えば水道管などの給水源１２と洗浄ノズル１４とが流路１６（給水路）、流路１８により接続されており、この流路１６に電解槽１（電解槽領域）が設けられている。流路１６の電解槽１の下流には分岐部２０が設けられており、分岐部２０から洗浄ノズル１４へと延びる吐水流路１８と、分岐部２０から下方に向かって延びる排水流路２２とに分岐している。
【００２５】
吐水流路１８は、洗浄ノズル１４の吐水口における断面積（すなわち、吐水流路１８の最小流路断面積）が、排水流路２２の最小流路断面積に比べて小さくなるように構成されている。これにより、吐水流路１８に比べて、排水流路２２の圧力損失が小さくなっている。洗浄ノズル１４のノズル孔からは、給水源１２からの一次圧により、洗浄バルブ２８を開くことで水が吐出する。洗浄ノズル１４には、人体局部に向けて水を吐出する複数のノズル孔が設けられている他、そのノズル孔に水を供給する流路が内部に設けられている。洗浄ノズルは、ノズル孔から吐出する水により、洗浄ノズル自身の外表面を洗浄することも可能である。
【００２６】
吐水流路１８には、制御部２４に通信可能に接続された洗浄バルブ２８が設けられている。洗浄バルブ２８は、制御部２４の指令に基づいて開閉し、吐水流路である流路１８への水の流入を制御する。洗浄バルブ２８は、流路１８の開閉のみならず、開度の調整も可能なように構成されている。洗浄バルブ２８の開度が大きいほど、流量及び流速も大きなものとなる。洗浄バルブ２８の開度を調整することで、上流側に配置されている電解槽１における流速を調整することができる。
【００２７】
排水流路２２の分岐部２０の下流側には、制御部２４と通信可能に接続された排出バルブ３０が設けられている。排出バルブ３０は、制御部２４の指令に基づいて開閉し、排水流路２２への水の流入を制御する。これら排水流路２２及び排出バルブ３０により排出機構３２が構成される。なお、本実施形態では、流路１６を分岐して排水流路２２を設けているが、これに限らずに、流路１６の下面に開口を設けるのみでもよい。また、本実施形態では、排水流路２２に排出バルブ３０を設けて、これにより排水流路２２を流れる水流を制御しているが、これに限らず、ポンプ等を用いて、排水流路２２を流れる水流を制御することもできる。
【００２８】
排出バルブ３０は、電解槽１における濃縮モード（詳細は後述する）の実行時や、水の電気伝導度の測定時に開かれる。排出バルブ３０から排出される水は便器１２０のボウル部に排出される。
【００２９】
制御部２４（制御手段）は、電解槽１に配置される一対の電解槽電極に電圧を印加するタイミングを制御し、その電圧も可変可能なように構成されている。制御部２４は、電解槽１の一対の電極間に印加する電圧が、陽極に塩化物イオンが引き寄せられる第１電圧となるように制御する濃縮モードと、一対の電極間に印加する電圧が、第１電圧よりも高い第２電圧となるように制御する電解モードと、を実行可能なように構成されている。第２電圧は、次亜塩素酸又は次亜塩素酸イオンを生成する電圧として定義される。
【００３０】
電解槽１の下流側には、水質検知部２６（電気流測定手段、水質検知手段）が配置されている。水質検知部２６は、電解槽１の下流側において流路１６を流れる水の水質を検知するための部分である。水質検知部２６は、電解槽１から流れ出る水の電気の流れ方を測定することで水質を検知するものである。水質検知部２６は、電解槽１から流れ出る水の水素イオン指数を測定することで水質を検知するものであることも好ましい。尚、水質検知部２６は、例えば設置時に電解槽１から流れ出る水の電気の流れ方を測定することで、電解槽１に流れ込む水の電気の流れ方を測定することも可能である。
【００３１】
図３は、電解槽１を説明するための模式図である。同図に示すように、電解槽１は、一対の電極板２，４を有し、これら電極板２，４の間に電圧を印加することにより、水を電気分解する。
【００３２】
水道水を電気分解すると、式（１）及び式（２）の反応が起き、陽極からは酸素が、陰極からは水素が発生する。
陽極：２Ｈ2Ｏ→４Ｈ+＋Ｏ2＋４ｅ−    （１）
陰極：４Ｈ2Ｏ＋４ｅ−→２Ｈ2＋４ＯＨ−    （２）
【００３３】
ここで、電極触媒として、白金・イリジウム（Ｐｔ・ＩｒＯ2）を塗布した電極を用いることにより、式（３）に示すように、陽極で塩素が生成する。
陽極：２Ｃｌ−→Ｃｌ2＋２ｅ−    （３）
【００３４】
塩素はｐＨにより、塩素、次亜塩素酸（ＨＣｌＯ）、次亜塩素酸イオン（ＣｌＯ−）となる（式４、式５参照）。次亜塩素酸（ＨＣｌＯ）、次亜塩素酸イオン（ＣｌＯ−）は、殺菌力を有するものである。
陽極：Ｃｌ2＋Ｈ2Ｏ→ＨＣｌＯ＋Ｈ2＋Ｃｌ−    （４）
陽極：ＨＣｌＯ→ＣｌＯ−＋Ｈ+    （５）
【００３５】
式（３）の反応に至る前に、水道水中の塩化物イオンが陽極に引き寄せられることから、式（３）の反応が起こらないような電圧を印加することで、陽極表面に塩化物イオンを未反応のまま捕集することができる。
【００３６】
続いて、図４を参照しながら、制御部２４による第１電圧の決定手順を説明する。図４は、第１電圧を決定する手順を示すフローチャートである。図４に示すフローは、装置設置後の初回通電時に行ったり、定期的に行ったりするものである。
【００３７】
ステップＳ１１では、排出バルブ３０を開いて、流路１６に流れを形成する。ステップＳ１２では、水質検知部２６に設けられた一対の電極を利用して、水の電気伝導率を測定する。
【００３８】
ステップＳ１３では、測定された電気伝導率に基づいて、第１電圧を決定する。図５に、電気伝導率と第１電圧との関係の一例を示す。このような対応関係は、予め設定され、制御部２４のメモリに格納されている。図５に例示するように、水の電気伝導率が低いほど、給水される水が含有する塩化物イオン濃度は低いものと想定される。
【００３９】
ステップＳ１４では、ステップＳ１３にて決定された第１電圧Ｖ１をメモリに格納する。ステップＳ１５では、排出バルブ３０を閉じる。
【００４０】
続いて、図６及び図７を参照しながら、殺菌洗浄する際の制御部２４の動作について説明する。図６は、図２に示す殺菌水生成装置ＷＤの動作を示すフローチャートである。図７は、図６に示すフローチャートで殺菌水生成装置ＷＤを動作させた場合の、各バルブの動きや塩化物イオン濃度等を示すグラフである。図７の（Ａ）は排出バルブ３０及び洗浄バルブ２８の開閉状況を示し、図７の（Ｂ）は塩化物イオン濃度を示し、図７の（Ｃ）は電気伝導率の変化を示し、図７の（Ｄ）は水素イオン濃度の変化を示している。
【００４１】
ステップＳ２１では、排出バルブ３０を開いて、流路１６に流れを形成する（時刻ｔ０）。ステップＳ２２では、電解槽１の一対の電極２，４に第１電圧Ｖ１を印加する（時刻ｔ１）。ステップＳ２３では、第１電圧の印加開始から時間Ｔ１が経過したか否かを判断し、時間Ｔ１が経過するとステップＳ２４の処理に進む。
【００４２】
ステップＳ２４では、水質検知部２６の検知結果に基づいて、電気伝導率σが閾値σ１を上回っているか判断する。流れる水の電気伝導率σが閾値σ１を上回っていればステップＳ２６の処理に進み、上回っていなければステップＳ２５の処理に進む。この段階では、図８の（Ａ）に示すように、塩化物イオンの捕集が進行している。
【００４３】
ステップＳ２５では、第１電圧Ｖ１の印加開始から時間Ｔ２（Ｔ２＞Ｔ１）が経過しているか判断する。第１電圧Ｖ１の印加から時間Ｔ２が経過していなければステップＳ２４の処理に戻り、第１電圧Ｖ１の印加から時間Ｔ２が経過していればステップＳ２６の処理に進む。
【００４４】
ステップＳ２６では、排出バルブを閉じる（時刻ｔ４）。ステップＳ２７では、電解槽１の一対の電極２，４に電解電圧Ｖ２（Ｖ２＞Ｖ１）を印加する。ステップＳ２８では、洗浄バルブ２８を開き、洗浄ノズル１４から殺菌水を吐出する。この段階では、図８の（Ｂ）に示すように、次亜塩素酸の生成が進行する。ステップＳ２９では、洗浄バルブ２８を開いてから時間Ｔ３が経過したか判断する。時間Ｔ３が経過していなければ判断を継続し、時間Ｔ３が経過していればステップＳ３０の処理に進む。
【００４５】
ステップＳ３０では、洗浄バルブ２８を閉じる。ステップＳ３１では、電解槽１の一対の電極２，４への電圧の印加を停止する。
【００４６】
上述したように本実施形態における殺菌水生成装置ＷＤは、塩化物イオンを含む水を電気分解して陽極に塩素を発生させ、この塩素と水の反応により次亜塩素酸を含む殺菌水を生成するものであって、水が通る給水路である流路１６と、流路１６に設けられ、一対の電極２，４を有し、一対の電極２，４間に電圧を印加することで流路１６を通る水を電解処理する電解槽領域である電解槽１と、流路１６における水の通り方と、一対の電極２，４間に印加する電圧とを制御する制御手段としての制御部２４と、を備える。
【００４７】
制御部２４は、一対の電極２，４間に印加する電圧が、陽極に塩化物イオンが引き寄せられる第１電圧Ｖ１となるように制御する濃縮モードと、一対の電極２，４間に印加する電圧が、第１電圧よりも高い電圧であって次亜塩素酸が生成される第２電圧Ｖ２となるように制御する電解モードと、を実行可能なように構成されている。
【００４８】
本実施形態によれば、一対の電極２，４間に印加する電圧を、陽極に塩化物イオンが引き寄せられる第１電圧となるように制御する濃縮モードを実行するので、イオン交換膜で塩化物イオンを捕集し、その後に電極間に電圧を印加して水酸化物イオンを生成した後に水酸化物イオンの置換によって塩化物イオンを陽極に向かわせる従来技術に比較して、迅速に塩化物イオンを陽極周辺に集めることができる。また、陽極に塩化物イオンを引き寄せた後に電解モードに移行して次亜塩素酸を生成するので、塩化物イオンが徐々にイオン交換膜から離脱して陽極に向かう従来技術に比較して、高濃度の次亜塩素酸を得ることができる。また、濃縮モードでは第１電圧Ｖ１、電解モードでは第２電圧Ｖ２となるように一対の電極２，４間に電圧を印加するので、イオン交換膜から離脱した塩化物イオンを陽極まで誘引できる程度の大電圧を印加する従来技術に比較して消費されるエネルギーを抑制することができる。
【００４９】
また本実施形態では、制御部は、第１電圧Ｖ１の電圧値を変更可能なように構成されている。
【００５０】
殺菌水生成装置ＷＤが設置される場所によって、この殺菌水生成装置ＷＤに供給される水に含まれる塩化物イオンの量は異なり、塩化物イオンの含有量が多ければ低い電圧を印加した場合であっても、十分な量の塩化物イオンを集めることができる。そこで、第１電圧Ｖ１の電圧値を変更可能なように構成することで、濃縮モードで消費する電力量を水に含まれる塩化物イオン濃度に応じて調整することが可能となり、無駄なエネルギーを消費することを回避することができる。
【００５１】
また本実施形態では、電解槽１に供給される水の電気の流れ方を測定する電気流測定手段として機能する水質検知部２６を備え、制御部２４は、電気流測定手段が測定した電気の流れ方が弱い場合には、強い場合に比較して第１電圧Ｖ１の電圧値を大きく設定する。
【００５２】
本発明者らは、水における電気の流れ方が弱い場合、すなわち水の電気伝導度が小さい場合には、その水に含まれる塩化物イオン濃度も低くなることを見出した。そこで、水における電気の流れ方に応じて第１電圧Ｖ１の電圧値を調整することで、濃縮モードで消費する電力量を水に含まれる塩化物イオン濃度に応じて調整することが可能となり、無駄なエネルギーを消費することを回避することができる。
【００５３】
また本実施形態では、電解槽１よりも下流側において流路１６を流れる水の水質を検知する水質検知手段として機能する水質検知部２６を備え、制御部２４は、水質検知手段が検知した水質が、陽極に塩化物イオンが引き寄せられたことを示すものに変化したことに基づいて、濃縮モードから電解モードへ移行する。
【００５４】
濃縮モードで塩化物イオンを陽極に捕集すると、電解槽１を通過する水の水質が塩化物イオンの変動により変化する。そこで、水質検知手段が検知した水質が、陽極に塩化物イオンが引き寄せられたことを示すものに変化したことに基づいて、濃縮モードから電解モードへと移行するので、十分な量の塩化物イオンが陽極に捕集された状態で電解モードへと移行することが可能となり、高濃度の次亜塩素酸を確実に得ることができる。
【００５５】
また本実施形態では、水質検知手段は、電解槽１から流れ出る水の電気の流れ方を測定することで水質を検知するものであって、制御部２４は、電解槽１よりも下流側において給水路を流れる水の電気の流れ方が弱い状態から強い状態に遷移したことに基づいて、濃縮モードから前記電解モードへ移行する。
【００５６】
上述したように、濃縮モードで塩化物イオンを陽極に捕集すると、電解槽１を通過する水の水質が塩化物イオンの変動により変化する。より具体的には、塩化物イオンが陽極に捕集されることで、水中の塩化物イオン濃度が低下し、水における電気の流れ方が弱い状態になる。その後、塩化物イオンが陽極に捕集される量が飽和すると水中の塩化物イオン濃度が再上昇し、水における電気の流れ方が強い状態になる。そこで、電解槽１よりも下流側において流路１６を流れる水の電気の流れ方が弱い状態から強い状態に遷移したことに基づいて、濃縮モードから電解モードへ移行することで、十分な量の塩化物イオンが陽極に捕集された状態で電解モードへと移行することが可能となり、高濃度の次亜塩素酸を確実に得ることができる。
【００５７】
また本実施形態では、水質検知手段は、電解槽１から流れ出る水の水素イオン指数を測定することで水質を検知するものであって、制御部２４は、電解槽１よりも下流側において流路１６を流れる水の水素イオン指数が大きい状態から小さい状態に遷移したことに基づいて、濃縮モードから電解モードへ移行することも好ましい。
【００５８】
上述したように、濃縮モードで塩化物イオンを陽極に捕集すると、電解槽１を通過する水の水質が塩化物イオンの変動により変化する。より具体的には、塩化物イオンが陽極に捕集されることで、水中の塩化物イオン濃度が低下するため、水の電気分解をもってして平衡状態を保つので水酸化物イオンが増え水素イオン指数が大きくなる。その後、塩化物イオンが陽極に捕集される量が飽和すると水中の塩化物イオン濃度が再上昇し、水酸化物イオンが減少して水素イオン指数が小さくなる。そこでこの好ましい態様では、電解槽１よりも下流側において流路１６を流れる水の水素イオン指数が大きい状態から小さい状態に遷移したことに基づいて、濃縮モードから電解モードへ移行することで、十分な量の塩化物イオンが陽極に捕集された状態で電解モードへと移行することが可能となり、高濃度の次亜塩素酸を確実に得ることができる。
【符号の説明】
【００５９】
１  電解槽
２，４  電極板
１０  流路系統
１２  給水源
１４  洗浄ノズル
１６  流路
１８  流路
２０  分岐部
２２  排水流路
２４  制御部
２６  水質検知部
２８  洗浄バルブ
３０  排出バルブ
３２  排出機構
１００      衛生洗浄装置
１１０      洋式大便器
１２０      便器
ＷＤ  殺菌水生成装置
【図１】
2013208569.tif 000003
【図２】
2013208569.tif 000004
【図３】
2013208569.tif 000005
【図４】
2013208569.tif 000006
【図５】
2013208569.tif 000007
【図６】
2013208569.tif 000008
【図７】
2013208569.tif 000009
【図８】
2013208569.tif 000010